(57)【要約】【課題】印刷時に使用されるテンプレートの推奨カートリッジ特性に適合しないカートリッジ特性を有するテープカートリッジが装着された場合に、メッセージを報知することができるテープ印刷装置を提供する。【解決手段】装着されたテープカートリッジのカートリッジ特性を示すカートリッジ情報を取得するカートリッジ情報取得部と、印刷時に使用されるテンプレートについて設定された推奨カートリッジ特性を示す推奨カートリッジ情報を取得する推奨カートリッジ情報取得部と、取得されたカートリッジ情報が示すカートリッジ特性が、取得された推奨カートリッジ情報が示す推奨カートリッジ特性に適合するか否かを判断する判断部と、カートリッジ特性が推奨カートリッジ特性に適合しないと判断された場合に、メッセージを報知する報知部とを備えた。【選択図】図７
2017109469.tif 000002
【特許請求の範囲】
【請求項１】
テープカートリッジが装着されるカートリッジ装着部と、
装着された前記テープカートリッジに収容されたテープ状部材に印刷を行う印刷部と、
装着された前記テープカートリッジのカートリッジ特性を示すカートリッジ情報を取得するカートリッジ情報取得部と、
印刷時に使用されるテンプレートについて設定された推奨カートリッジ特性を示す推奨カートリッジ情報を取得する推奨カートリッジ情報取得部と、
取得された前記カートリッジ情報が示す前記カートリッジ特性が、取得された前記推奨カートリッジ情報が示す前記推奨カートリッジ特性に適合するか否かを判断する判断部と、
前記カートリッジ特性が前記推奨カートリッジ特性に適合しないと判断された場合に、メッセージを報知する報知部と、
を備えたことを特徴とするテープ印刷装置。
【請求項２】
前記報知部は、前記メッセージとして、取得された前記推奨カートリッジ情報が示す前記推奨カートリッジ特性に適合した前記カートリッジ特性を有する前記テープカートリッジへの交換を促す交換メッセージを報知することを特徴とする請求項１に記載のテープ印刷装置。
【請求項３】
前記カートリッジ情報取得部は、それぞれが異なる項目の前記カートリッジ特性を示す複数の前記カートリッジ情報を取得し、
前記推奨カートリッジ情報取得部は、それぞれが異なる項目の前記推奨カートリッジ特性を示す複数の前記推奨カートリッジ情報を取得し、
前記判断部は、共通する項目同士で、取得された前記カートリッジ情報が示す前記カートリッジ特性が、取得された前記推奨カートリッジ情報が示す前記推奨カートリッジ特性に適合するか否かを判断し、
前記報知部は、前記メッセージとして、前記カートリッジ特性が前記推奨カートリッジ特性に適合しないと判断された項目を示す不適合項目メッセージを報知することを特徴とする請求項１または２に記載のテープ印刷装置。
【請求項４】
前記カートリッジ情報取得部は、前記カートリッジ情報として、装着された前記テープカートリッジに収容された前記テープ状部材のテープ種、テープ幅、印刷色および背景色のいずれかの項目の前記カートリッジ特性を示すものを取得し、
前記推奨カートリッジ情報取得部は、前記推奨カートリッジ情報として、前記カートリッジ特性と共通する項目の前記推奨カートリッジ特性を示すものを取得することを特徴とする請求項１ないし３のいずれか一項に記載のテープ印刷装置。
【請求項５】
テープカートリッジが装着されるカートリッジ装着部と、
装着された前記テープカートリッジに収容されたテープ状部材に印刷を行う印刷部と、を備えたテープ印刷装置における報知方法であって、
装着された前記テープカートリッジのカートリッジ特性を示すカートリッジ情報を取得するステップと、
印刷時に使用されるテンプレートについて設定された推奨カートリッジ特性を示す推奨カートリッジ情報を取得するステップと、
取得された前記カートリッジ情報が示す前記カートリッジ特性が、取得された前記推奨カートリッジ情報が示す前記推奨カートリッジ特性に適合するか否かを判断するステップと、
前記カートリッジ特性が前記推奨カートリッジ特性に適合しないと判断された場合に、メッセージを報知するステップと、
を実行することを特徴とするテープ印刷装置における報知方法。
【請求項６】
テープ印刷装置に装着されたテープカートリッジのカートリッジ特性を示すカートリッジ情報を取得するカートリッジ情報取得部と、
印刷時に使用されるテンプレートについて設定された推奨カートリッジ特性を示す推奨カートリッジ情報を取得する推奨カートリッジ情報取得部と、
取得された前記カートリッジ情報が示す前記カートリッジ特性が、取得された前記推奨カートリッジ情報が示す前記推奨カートリッジ特性に適合するか否かを判断する判断部と、
前記カートリッジ特性が前記推奨カートリッジ特性に適合しないと判断された場合に、メッセージを報知する報知部と、
を備えたことを特徴とする報知装置。
【請求項７】
情報処理装置を、請求項６に記載の報知装置として機能させるためのプログラム。
【請求項８】
文字情報に基づく印刷画像を、テープ状部材に印刷するテープ印刷装置であって、
前記文字情報を取得する文字情報取得部と、
前記文字情報から字句情報を抽出する字句抽出部と、
前記字句情報に基づいて前記テープ状部材が利用される環境を推定した環境特性を生成する環境特性推定部と、
前記環境特性に基づいて推奨する前記テープ状部材を収容するテープカートリッジのカートリッジ特性を示す推奨カートリッジ情報を生成する推奨カートリッジ情報生成部と、
を備えることを特徴とするテープ印刷装置。
【請求項９】
前記テープ印刷装置は、
さらに、
前記テープカートリッジが装着されるカートリッジ装着部と、
前記カートリッジ装着部に、前記テープカートリッジが装着されていない場合に、前記推奨カートリッジ情報を報知する報知部と、
を備えることを特徴とする請求項８に記載のテープ印刷装置。
【請求項１０】
前記テープ印刷装置は、
さらに、
装着された前記テープカートリッジの前記カートリッジ特性を示す装着カートリッジ情報を取得するカートリッジ情報取得部と、
前記装着カートリッジ情報が前記推奨カートリッジ情報に適合するか否かを判断する判断部と、
を備え、
前記報知部は、前記判断部による判断結果を報知することを特徴とする請求項８または９に記載のテープ印刷装置。
【請求項１１】
前記テープ印刷装置は、
さらに、前記文字情報を記憶する記憶部を備え、
前記文字情報取得部は、前記文字情報を前記記憶部から読み出すことにより取得することを特徴とする請求項８から１０のいずれか一項に記載のテープ印刷装置。
【請求項１２】
前記テープ印刷装置は、
さらに、前記文字情報を入力する入力部を備え、
前記文字情報取得部は、前記入力部から入力途中の前記文字情報を取得し、
前記報知部は、前記入力途中に推定された前記環境特性に基づいて生成された前記推奨カートリッジ情報を報知することを特徴とする請求項８から１１のいずれか一項に記載のテープ印刷装置。
【請求項１３】
前記テープ印刷装置は、
さらに、前記文字情報を受信する通信部を備え、
前記文字情報取得部は、前記文字情報を前記通信部から取得することを特徴とする請求項８から１２のいずれか一項に記載のテープ印刷装置。
【請求項１４】
前記環境特性は、危険な度合を示す危険度、高温の度合を示す高温度、明暗の状態の度合を示す暗闇度、事務用環境への適合度合を示す事務度、強磁性の度合を示す金属度、および祝賀の度合を示す祝福度のうち少なくとも１つを含むことを特徴とする請求項８から１３のいずれか１項に記載のテープ印刷装置。
【請求項１５】
前記カートリッジ特性は、前記テープカートリッジに収容された前記テープ状部材のテープ種、テープ幅、印刷色および背景色のうち少なくとも１つを含むことを特徴とする請求項８から１４のいずれか１項に記載のテープ印刷装置。
【請求項１６】
テープ状部材に印刷する文字情報を取得する文字情報取得部と、
前記文字情報から字句情報を抽出する字句抽出部と、
前記字句情報に基づいて前記テープ状部材が利用される環境を推定した環境特性を生成する環境特性推定部と、
前記環境特性に基づいて、推奨する前記テープ状部材を収容するテープカートリッジの推奨カートリッジ情報を生成する推奨カートリッジ情報生成部と、
前記推奨カートリッジ情報を報知する報知部と、
を備えることを特徴とする報知装置。
【請求項１７】
テープ状部材に印刷する文字情報を取得する文字情報取得工程と、
前記文字情報から字句情報を抽出する字句抽出工程と、
前記字句情報に基づいて前記テープ状部材が利用される環境を推定した環境特性を生成する環境特性推定工程と、
前記環境特性に基づいて、推奨する前記テープ状部材を収容するテープカートリッジの推奨カートリッジ情報を生成する推奨カートリッジ情報生成工程と、
前記推奨カートリッジ情報を報知する報知工程と、
を備えることを特徴とする報知方法。
【請求項１８】
テープ状部材に印刷する文字情報を取得する文字情報取得工程と、
前記文字情報から字句情報を抽出する字句抽出工程と、
前記字句情報に基づいて前記テープ状部材が利用される環境を推定した環境特性を生成する環境特性推定工程と、
前記環境特性に基づいて、推奨する前記テープ状部材を収容するテープカートリッジの推奨カートリッジ情報を生成する推奨カートリッジ情報生成工程と、
前記推奨カートリッジ情報を報知する報知工程と、
をコンピューターに実行させることを特徴とするプログラム。
【発明の詳細な説明】
【技術分野】
【０００１】
本発明は、装着されたテープカートリッジに収容されたテープ状部材に対して印刷を行うテープ印刷装置、テープ印刷装置における報知方法、報知装置およびプログラムに関するものである。
【背景技術】
【０００２】
従来、装着されたテープカートリッジについて、選択された既定ラベルデータに適した推奨カートリッジであるか否かを判定し、推奨カートリッジでない場合、推奨カートリッジに関する情報を表示するテープ印刷装置が知られている。この既定ラベルデータは、所定のデザインを示す画像データにより構成されている（特許文献１参照）。
【先行技術文献】
【特許文献】
【０００３】
【特許文献１】特開２０１３−０４９２４０号公報
【発明の概要】
【発明が解決しようとする課題】
【０００４】
テープ印刷装置に、テープ長等が予め設定されていると共にキャラクターを入力可能なテンプレートが用意されていれば、ユーザーは、所望のテンプレートを選択することで、テープ長等を設定する手間が省けると共に所望のキャラクターを入力でき、便利である。しかしながら、従来のテープ印刷装置は、印刷時に使用されるテンプレートに適合しないテープカートリッジが装着された場合に、メッセージを表示するものではなかった。
また、ユーザーの利用用途は多岐に渡るため、必ずしも所望のテンプレートを見つけることができるとは限らず、作成された文字情報がテープに印刷されることがある。しかしながら、従来のテープ印刷装置では、このような文字情報が印刷対象となった場合に、推奨するテープカートリッジに関する情報を生成してユーザーに提供することができるものではなかった。
【課題を解決するための手段】
【０００５】
本発明は、上述の課題の少なくとも一部を解決するためになされたものであり、以下の形態または適用例として実現することが可能である。
【０００６】
［適用例１］本適用例に係わるテープ印刷装置は、テープカートリッジが装着されるカートリッジ装着部と、装着されたテープカートリッジに収容されたテープ状部材に印刷を行う印刷部と、装着されたテープカートリッジのカートリッジ特性を示すカートリッジ情報を取得するカートリッジ情報取得部と、印刷時に使用されるテンプレートについて設定された推奨カートリッジ特性を示す推奨カートリッジ情報を取得する推奨カートリッジ情報取得部と、取得されたカートリッジ情報が示すカートリッジ特性が、取得された推奨カートリッジ情報が示す推奨カートリッジ特性に適合するか否かを判断する判断部と、カートリッジ特性が推奨カートリッジ特性に適合しないと判断された場合に、メッセージを報知する報知部と、を備えたことを特徴とする。
【０００７】
本適用例によれば、装着されたテープカートリッジのカートリッジ特性が、印刷時に使用されるテンプレートについて設定された推奨カートリッジ特性に適合しない場合に、判断部によりカートリッジ特性が推奨カートリッジ特性に適合しないと判断される。その結果、報知部によりメッセージが報知される。したがって、本構成によれば、印刷時に使用されるテンプレートについて設定された推奨カートリッジ特性に適合しないカートリッジ特性を有するテープカートリッジが装着された場合に、メッセージを表示することができる。
【０００８】
［適用例２］上記適用例に係わる報知部は、メッセージとして、取得された推奨カートリッジ情報が示す推奨カートリッジ特性に適合したカートリッジ特性を有するテープカートリッジへの交換を促す交換メッセージを報知することが好ましい。
【０００９】
本適用例によれば、印刷時に使用されるテンプレートについて設定された推奨カートリッジ特性に適合しないカートリッジ特性を有するテープカートリッジが装着された場合に、交換メッセージが報知される。これにより、印刷時に使用されるテンプレートについて設定された推奨カートリッジ特性に適合したカートリッジ特性を有するテープカートリッジへ交換するように、ユーザーに促すことができる。
【００１０】
［適用例３］上記適用例に係わるカートリッジ情報取得部は、それぞれが異なる項目のカートリッジ特性を示す複数のカートリッジ情報を取得し、推奨カートリッジ情報取得部は、それぞれが異なる項目の推奨カートリッジ特性を示す複数の推奨カートリッジ情報を取得し、判断部は、共通する項目同士で、取得されたカートリッジ情報が示すカートリッジ特性が、取得された推奨カートリッジ情報が示す推奨カートリッジ特性に適合するか否かを判断し、報知部は、メッセージとして、カートリッジ特性が推奨カートリッジ特性に適合しないと判断された項目を示す不適合項目メッセージを報知することが好ましい。
【００１１】
本適用例によれば、複数項目のうち少なくとも１の項目について、推奨カートリッジ特性に適合しないカートリッジ特性を有するテープカートリッジが装着された場合に、不適合項目メッセージが報知される。これにより、複数項目のなかのいずれの項目について、カートリッジ特性が推奨カートリッジ特性に適合しないのかを、ユーザーに知らせることができる。
【００１２】
［適用例４］上記適用例に係わるカートリッジ情報取得部は、カートリッジ情報として、装着されたテープカートリッジに収容されたテープ状部材のテープ種、テープ幅、印刷色および背景色のいずれかの項目のカートリッジ特性を示すものを取得し、推奨カートリッジ情報取得部は、推奨カートリッジ情報として、カートリッジ特性と共通する項目の推奨カートリッジ特性を示すものを取得することが好ましい。
【００１３】
本適用例によれば、カートリッジ情報取得部が、カートリッジ特性として例えばテープ種を示すカートリッジ情報を取得する場合、推奨カートリッジ情報取得部が、推奨カートリッジ特性として推奨テープ種を示す推奨カートリッジ情報を取得する。これにより、印刷時に使用されるテンプレートについて設定された推奨テープ種に適合しないテープ種を有するテープカートリッジが装着された場合に、メッセージを表示することができる。
【００１４】
［適用例５］本適用例に係わる報知方法は、テープカートリッジが装着されるカートリッジ装着部と、装着されたテープカートリッジに収容されたテープ状部材に印刷を行う印刷部と、を備えたテープ印刷装置における報知方法であって、装着されたテープカートリッジのカートリッジ特性を示すカートリッジ情報を取得するステップと、印刷時に使用されるテンプレートについて設定された推奨カートリッジ特性を示す推奨カートリッジ情報を取得するステップと、取得されたカートリッジ情報が示すカートリッジ特性が、取得された推奨カートリッジ情報が示す推奨カートリッジ特性に適合するか否かを判断するステップと、カートリッジ特性が推奨カートリッジ特性に適合しないと判断された場合に、メッセージを報知するステップと、を実行することを特徴とする。
【００１５】
本適用例によれば、装着されたテープカートリッジのカートリッジ特性が、印刷時に使用されるテンプレートについて設定された推奨カートリッジ特性に適合しない場合に、カートリッジ特性が推奨カートリッジ特性に適合しないと判断される。その結果、メッセージが報知される。したがって、本構成によれば、印刷時に使用されるテンプレートについて設定された推奨カートリッジ特性に適合しないカートリッジ特性を有するテープカートリッジが装着された場合に、メッセージを表示することができる。
【００１６】
［適用例６］本適用例に係わる報知装置は、テープ印刷装置に装着されたテープカートリッジのカートリッジ特性を示すカートリッジ情報を取得するカートリッジ情報取得部と、印刷時に使用されるテンプレートについて設定された推奨カートリッジ特性を示す推奨カートリッジ情報を取得する推奨カートリッジ情報取得部と、取得されたカートリッジ情報が示すカートリッジ特性が、取得された推奨カートリッジ情報が示す推奨カートリッジ特性に適合するか否かを判断する判断部と、カートリッジ特性が推奨カートリッジ特性に適合しないと判断された場合に、メッセージを報知する報知部と、を備えたことを特徴とする。
【００１７】
本適用例によれば、装着されたテープカートリッジのカートリッジ特性が、印刷時に使用されるテンプレートについて設定された推奨カートリッジ特性に適合しない場合に、判断部によりカートリッジ特性が推奨カートリッジ特性に適合しないと判断される。その結果、報知部によりメッセージが報知される。したがって、本構成によれば、印刷時に使用されるテンプレートについて設定された推奨カートリッジ特性に適合しないカートリッジ特性を有するテープカートリッジが装着された場合に、メッセージを表示することができる。
【００１８】
［適用例７］本適用例に係わるプログラムは、情報処理装置を、上記の報知装置として機能させるためのものである。
【００１９】
［適用例８］本適用例に係わるテープ印刷装置は、文字情報に基づく印刷画像を、テープ状部材に印刷するテープ印刷装置であって、文字情報を取得する文字情報取得部と、文字情報から字句情報を抽出する字句抽出部と、字句情報に基づいてテープ状部材が利用される環境を推定した環境特性を生成する環境特性推定部と、環境特性に基づいて推奨するテープ状部材を収容するテープカートリッジのカートリッジ特性を示す推奨カートリッジ情報を生成する推奨カートリッジ情報生成部と、を備えることを特徴とする。
【００２０】
本適用例によれば、文字情報に基づいてテープ状部材が利用される環境を推定し、推定した環境に基づいて推奨カートリッジ情報を生成している。従って、生成された推奨カートリッジ情報を、推奨するテープカートリッジの情報としてユーザーに案内することができる。
【００２１】
［適用例９］上記適用例に係わるテープ印刷装置は、さらに、テープカートリッジが装着されるカートリッジ装着部と、カートリッジ装着部に、テープカートリッジが装着されていない場合に、推奨カートリッジ情報を報知する報知部と、を備えることを特徴とする。
【００２２】
本適用例によれば、テープカートリッジが装着されていない場合に、推奨カートリッジ情報を報知することができる。
【００２３】
［適用例１０］上記適用例に係わるテープ印刷装置は、さらに、装着されたテープカートリッジのカートリッジ特性を示す装着カートリッジ情報を取得するカートリッジ情報取得部と、装着カートリッジ情報が推奨カートリッジ情報に適合するか否かを判断する判断部と、を備え、報知部は、判断部による判断結果を報知することを特徴とする。
【００２４】
本適用例によれば、テープ状部材に印刷したい文字情報に適合しないテープカートリッジが装着された場合に推奨カートリッジ情報に関するメッセージを表示することができる。
【００２５】
［適用例１１］上記適用例に係わるテープ印刷装置は、さらに、文字情報を記憶する記憶部を備え、文字情報取得部は、文字情報を記憶部から読み出すことにより取得することが好ましい。
【００２６】
［適用例１２］上記適用例に係わるテープ印刷装置は、さらに、文字情報を入力する入力部を備え、文字情報取得部は、入力部から入力途中の文字情報を取得し、報知部は、入力途中に推定された環境特性に基づいて生成された推奨カートリッジ情報を報知することを特徴とする。
【００２７】
本適用例によれば、ユーザーは、文字情報を全て入力するまで待たずに推奨カートリッジ情報を入手することができる。
【００２８】
［適用例１３］上記適用例に係わるテープ印刷装置は、さらに、文字情報を受信する通信部を備え、文字情報取得部は、文字情報を通信部から取得することが好ましい。
【００２９】
［適用例１４］上記適用例に係わる環境特性は、危険な度合を示す危険度、高温の度合を示す高温度、明暗の状態の度合を示す暗闇度、事務用環境への適合度合を示す事務度、強磁性の度合を示す金属度、および祝賀の度合を示す祝福度のうち少なくとも１つを含むことを特徴とする。
【００３０】
本適用例によれば、多様な環境に対応するテープ状部材を利用することができる。
【００３１】
［適用例１５］上記適用例に係わるカートリッジ特性は、テープカートリッジに収容されたテープ状部材のテープ種、テープ幅、印刷色および背景色のうち少なくとも１つを含むことを特徴とする。
【００３２】
本適用例によれば、多種多様なテープカートリッジから選択することができる。
【００３３】
［適用例１６］本適用例に係わる報知装置によれば、テープ状部材に印刷する文字情報を取得する文字情報取得部と、文字情報から字句情報を抽出する字句抽出部と、字句情報に基づいてテープ状部材が利用される環境を推定した環境特性を生成する環境特性推定部と、環境特性に基づいて、推奨するテープ状部材を収容するテープカートリッジの推奨カートリッジ情報を生成する推奨カートリッジ情報生成部と、推奨カートリッジ情報を報知する報知部と、を備えることを特徴とする。
【００３４】
本適用例によれば、文字情報に基づいてテープが利用される環境を推定し、推定した環境に基づいて推奨カートリッジ情報を生成し、報知している。従って、生成された推奨カートリッジ情報を、推奨するテープカートリッジの情報としてユーザーに案内することができる。
【００３５】
［適用例１７］本適用例に係わる報知方法によれば、テープ状部材に印刷する文字情報を取得する文字情報取得工程と、文字情報から字句情報を抽出する字句抽出工程と、字句情報に基づいてテープ状部材が利用される環境を推定した環境特性を生成する環境特性推定工程と、環境特性に基づいて、推奨するテープ状部材を収容するテープカートリッジの推奨カートリッジ情報を生成する推奨カートリッジ情報生成工程と、推奨カートリッジ情報を報知する報知工程と、を備えることを特徴とする。
【００３６】
本適用例によれば、文字情報に基づいてテープ状部材が利用される環境を推定し、推定した環境に基づいて推奨カートリッジ情報を生成し、報知している。従って、生成された推奨カートリッジ情報を、推奨するテープカートリッジの情報としてユーザーに案内することができる。
【００３７】
［適用例１８］本適用例に係わるプログラムによれば、テープ状部材に印刷する文字情報を取得する文字情報取得工程と、文字情報から字句情報を抽出する字句抽出工程と、字句情報に基づいてテープ状部材が利用される環境を推定した環境特性を生成する環境特性推定工程と、環境特性に基づいて、推奨するテープ状部材を収容するテープカートリッジの推奨カートリッジ情報を生成する推奨カートリッジ情報生成工程と、推奨カートリッジ情報を報知する報知工程と、をコンピューターに実行させることを特徴とする。
【００３８】
本適用例によれば、文字情報に基づいてテープ状部材が利用される環境を推定し、推定した環境に基づいて推奨カートリッジ情報を生成し、報知している。従って、生成された推奨カートリッジ情報を、推奨するテープカートリッジの情報としてユーザーに案内することができる。
【図面の簡単な説明】
【００３９】
【図１】本発明の一実施形態に係るテープ印刷装置の外観図。
【図２】テープ印刷装置のブロック図。
【図３】テープ印刷装置に用意されているテンプレートについて説明するための図。
【図４】テンプレートテーブルを示す図。
【図５】カートリッジテーブルを示す図。
【図６】制御回路の機能構成を示すブロック図。
【図７】推奨カートリッジ報知処理を示すフローチャート。
【図８】カートリッジ交換画面を示す図。
【図９】テープ印刷装置と情報処理装置とを備えた印刷システムのブロック図。
【図１０】実施形態２におけるテープ印刷装置の機能を概略的に説明する図。
【図１１】実施形態２におけるテープ印刷装置の構成を概略的に示すブロック図。
【図１２】推定環境特性対応テーブルの一例を示す図。
【図１３Ａ】推奨カートリッジ情報対応テーブルの一例を示す図。
【図１３Ｂ】推奨カートリッジ情報対応テーブルの一例を示す図。
【図１３Ｃ】推奨カートリッジ情報対応テーブルの一例を示す図。
【図１３Ｄ】推奨カートリッジ情報対応テーブルの一例を示す図。
【図１３Ｅ】推奨カートリッジ情報対応テーブルの一例を示す図。
【図１３Ｆ】推奨カートリッジ情報対応テーブルの一例を示す図。
【図１４】推奨カートリッジ報知処理を示すフローチャート図。
【図１５】変形例におけるテープ印刷装置と情報処理装置とを備えた印刷システムの構成を概略的に示すブロック図。
【発明を実施するための形態】
【００４０】
以下、添付の図面を参照して、本発明の一実施形態について説明する。なお、以下の各図においては、各部や各画面を認識可能な程度の大きさにするため、各部や各画面の尺度を実際とは異ならせしめている。
【００４１】
（実施形態１）
図１に基づいて、テープ印刷装置１について説明する。テープ印刷装置１は、操作パネル１１と、ディスプレイ１２と、カートリッジ装着部１３と、カッター１４と、テープ排出口１５とを備えている。
【００４２】
操作パネル１１は、ユーザーからの各種操作を受け付ける。操作パネル１１には、キャラクターキー１１１と、カーソルキー１１２と、選択・改行キー１１３と、テンプレートキー１１４と、印刷キー１１５とが設けられている。キャラクターキー１１１は、複数のキャラクターキーを備えており、各キャラクターキーは、キャラクターを入力する操作を受け付ける。なお、キャラクターとは、文字、記号、絵文字等を含む概念である。カーソルキー１１２は、カーソルや選択候補を移動させる操作を受け付ける。選択・改行キー１１３は、選択肢を確定する操作や改行を行う操作を受け付ける。テンプレートキー１１４は、テンプレート選択画面（図示省略）をディスプレイ１２に表示させるための操作を受け付ける。テンプレート選択画面には、後述するテンプレートの選択肢が表示される。印刷キー１１５は、印刷実行を指示する操作を受け付ける。
【００４３】
ディスプレイ１２は、操作パネル１１の各キーに対する操作に従って所定の表示を行う。例えば、ディスプレイ１２は、キャラクターキー１１１に対する操作によって入力されたキャラクターを表示する。
【００４４】
カートリッジ装着部１３には、テープカートリッジ２が着脱可能に装着される。テープカートリッジ２は、テープ状部材２１と、インクリボン２２と、プラテンローラー２３と、これらを収容するカートリッジケース２４とを備えている。
【００４５】
テープカートリッジ２には、カートリッジ特性の異なる複数種類のものが用意されている（図５参照）。カートリッジ特性には、例えば、テープ種、テープ幅、印刷色および背景色の４つの項目が含まれる。
【００４６】
テープ種は、テープ状部材２１の種類を意味する。テープ種には、剥離紙付きテープ、リボンテープ、マグネットテープ、熱収縮テープなどがある。剥離紙付きテープのなかには、印刷画像が印刷されるテープ本体の素材に応じて、樹脂テープ、上質紙テープ、耐熱テープ、蓄光テープ、備品管理テープなどがある。なお、備品管理テープは、テープ本体が、アルミ銘板のような銀色を呈する素材から成るものである。さらに、剥離紙付きテープのなかには、樹脂テープと同様の構成であるが、テープ本体の粘着面に塗布された粘着剤の粘着力の違いに応じて、強粘着テープおよび弱粘着テープがある。
【００４７】
テープ幅は、テープ状部材２１の幅を意味する。テープ幅には、例えば、４ｍｍ、６ｍｍ、９ｍｍ、１２ｍｍ、１８ｍｍ、２４ｍｍ、３６ｍｍなどがある。
【００４８】
印刷色は、テープ状部材２１に印刷されるキャラクター等の色、すなわちインクリボン２２のインクの色を意味する。印刷色には、例えば、黒色、赤色、緑色などがある。なお、テープカートリッジ２がインクリボン２２を備えず、テープ状部材２１として感熱紙を用いる場合には、印刷色は、感熱紙が発色する色を意味する。
【００４９】
背景色は、テープ状部材２１の印刷面の色を意味する。背景色には、例えば、白色、赤色、黄色などがある。
【００５０】
カートリッジケース２４には、検出対象シール２５が貼付されている。検出対象シール２５には、装着検出用画像２５１と、テープ種検出用画像２５２と、テープ幅検出用画像２５３と、印刷色検出用画像２５４と、背景色検出用画像２５５とが印刷されている。装着検出用画像２５１は、カートリッジ装着部１３にテープカートリッジ２が装着されているか否かを検出するためのものであって、いずれのテープカートリッジ２にも共通の画像である。テープ種検出用画像２５２は、テープ種を検出するためのものであって、テープ種ごとに異なる画像である。テープ幅検出用画像２５３は、テープ幅を検出するためのものであって、テープ幅ごとに異なる画像である。印刷色検出用画像２５４は、印刷色を検出するためのものであって、印刷色ごとに異なる画像である。背景色検出用画像２５５は、背景色を検出するためのものであって、背景色ごとに異なる画像である。各検出用画像は、例えば、複数の検出マークの白黒パターンによって表される。
【００５１】
図１では図示省略したが、カートリッジ装着部１３には、カートリッジ検出センサー１６（図２参照）が設けられている。カートリッジ検出センサー１６は、検出対象シール２５に印刷された装着検出用画像２５１、テープ種検出用画像２５２、テープ幅検出用画像２５３、印刷色検出用画像２５４、および背景色検出用画像２５５を読み取る。カートリッジ検出センサー１６は、各検出用画像の読取り結果に従って、テープカートリッジ２の装着／非装着を示す装着情報、テープ種を示すテープ種情報、テープ幅を示すテープ幅情報、印刷色を示す印刷色情報、および背景色を示す背景色情報を、後述する制御回路１８（図２参照）に出力する。なお、テープ種情報、テープ幅情報、印刷色情報および背景色情報を、まとめて「カートリッジ情報」という。カートリッジ検出センサー１６としては、例えば、複数の検出マークの白黒パターンを検出可能な光センサーを用いることができる。
【００５２】
また、カートリッジ装着部１３には、印刷ヘッド１７が設けられている。印刷ヘッド１７は、テープ状部材２１およびインクリボン２２をプラテンローラー２３との間に挟持した状態で、入力されたキャラクターに基づいて作成された印刷データに従って発熱駆動する。これにより、インクリボン２２のインクがテープ状部材２１に転写され、入力されたキャラクターがテープ状部材２１に印刷される。
【００５３】
カッター１４は、カートリッジ装着部１３とテープ排出口１５との間に設けられている。カッター１４は、テープ状部材２１を幅方向に切断する。テープ排出口１５から排出されたテープ状部材２１の印刷済み部分は、カッター１４により切り離されて、テープ片となる。
【００５４】
図２に基づいて、テープ印刷装置１について説明する。テープ印刷装置１は、制御回路１８を備えている。制御回路１８は、ＣＰＵ１８１（Central Processing Unit）と、ＲＯＭ１８２（Read Only Memory）と、ＣＧＲＯＭ１８３（Character Generator Read Only Memory）と、ＲＡＭ１８４（Random Access Memory）と、入出力インターフェース１８５とを備えている。
【００５５】
ＣＰＵ１８１は、ＲＯＭ１８２内に記憶された制御プログラムを読み出し、ＲＡＭ１８４を用いて各種演算処理を実行する。
【００５６】
ＲＯＭ１８２は、プログラム記憶領域１８２１と、データ記憶領域１８２２とを備えている。プログラム記憶領域１８２１には、制御プログラムが記憶されている。制御プログラムには、後述する推奨カートリッジ報知処理プログラムが含まれる。データ記憶領域１８２２には、制御データが記憶されている。制御データには、後述するテンプレートテーブル１８２Ａ（図４参照）と、カートリッジテーブル１８２Ｂ（図５参照）とが含まれる。ＣＧＲＯＭ１８３は、各キャラクターに対応するドットパターンデータを記憶している。
【００５７】
ＲＡＭ１８４は、ＣＰＵ１８１による演算結果が一時的に記憶されるメモリーのほか、テキストメモリー１８４１と、表示バッファー１８４２と、印刷バッファー１８４３とを備えている。テキストメモリー１８４１は、入力されたキャラクターのコードデータから成るテキストデータが記憶される。表示バッファー１８４２は、テキストメモリー１８４１に記憶されたテキストデータに基づき、ＣＧＲＯＭ１８３から読み出された表示データ（ドットパターンデータ）が記憶される。表示バッファー１８４２に記憶された表示データに基づいて、ディスプレイ１２がキャラクター等を表示する。印刷バッファー１８４３は、テキストメモリー１８４１に記憶されたテキストデータに基づき、ＣＧＲＯＭ１８３から読み出された印刷データ（ドットパターンデータ）が記憶される。印刷バッファー１８４３に記憶された印刷データに基づいて、印刷ヘッド１７がキャラクター等を印刷する。
【００５８】
入出力インターフェース１８５には、操作パネル１１と、カートリッジ検出センサー１６と、ディスプレイ駆動回路１９１と、ヘッド駆動回路１９２と、モーター駆動回路１９３とが接続されている。ディスプレイ駆動回路１９１は、ディスプレイ１２を駆動する。ヘッド駆動回路１９２は、印刷ヘッド１７を駆動する。モーター駆動回路１９３は、モーター１９を駆動する。なお、モーター１９は、テープ状部材２１やインクリボン２２を送る送り機構（図示省略）、およびカッター１４の駆動源である。
【００５９】
図３に基づいて、テープ印刷装置１に用意されているテンプレートについて説明する。テープ印刷装置１には、非常口用テンプレート、消火器用テンプレート、備品管理用テンプレート、工具用テンプレート、Ａ４ファイル用テンプレートなど、複数のテンプレートが用意されている。
【００６０】
非常口用テンプレートは、非常口がある方向を示すキャラクター列が印刷され、室内や廊下等に貼付されるラベルをユーザーが作成する際に用いられる。消火器用テンプレートは、消火器の設置場所を示すキャラクター列が印刷され、消火器の設置場所の近傍に貼付されるラベルをユーザーが作成する際に用いられる。備品管理用テンプレートは、備品名や備品の購入年月などを示すキャラクター列が印刷され、備品に貼付されるラベルをユーザーが作成する際に用いられる。工具用テンプレートは、工具に関する禁止事項を示すキャラクター列が印刷され、工具に貼付されるラベルをユーザーが作成する際に用いられる。Ａ４ファイル用テンプレートは、Ａ４ファイルに収容される書類の内容やＡ４ファイルの保管部署等を示すキャラクター列が印刷され、Ａ４ファイルの背表紙に貼付されるラベルをユーザーが作成する際に用いられる。
【００６１】
各テンプレートでは、例えば、テープ長、行数、および外枠・表組みの種類などが設定されている。テープ長は、テープ状部材２１の長さを意味する。行数は、テープ状部材２１の幅方向における行数を意味する。行数は、例えば１行以上１３行以下の範囲で設定される。また、外枠・表組みについては、テープ印刷装置１に予め複数種類のものが用意されており、図３では、その種類を番号（図示は省略）で示す。例えば、非常口用テンプレートでは、テープ長が「自動」、行数が「１行」、外枠・表組みが「無」に設定されている。なお、テープ長が「自動」に設定されている場合、入力されたキャラクター列におけるキャラクターの数等に応じて、自動的にテープ長が変更される。
【００６２】
また、各テンプレートでは、一部のキャラクターが設定されていてもよい。例えば、非常口用テンプレートでは、非常口のマークが設定されている。消火器用テンプレートでは、消火器のマークが設定されている。備品管理用テンプレートでは、「備品名」、「管理番号」、「購入年月」および「管理部門」のキャラクター列が設定されている。工具用テンプレートでは、禁止マークが設定されている。なお、ユーザーは、設定されたキャラクターに加え、所望のキャラクターを入力することができる。
【００６３】
このように、各テンプレートでは、テープ長、行数、外枠・表組みの種類、および一部のキャラクターが予め設定されているため、ユーザーは、これらのテンプレートを利用することで、テープ長等を設定する手間を省くことができる。なお、予め設定されたテープ長等については、ユーザーが変更できることが好ましい。
【００６４】
図４に基づいて、ＲＯＭ１８２のデータ記憶領域１８２２に記憶されたテンプレートテーブル１８２Ａについて説明する。テンプレートテーブル１８２Ａは、テンプレートごとに、推奨テープ種情報、推奨テープ幅情報、推奨印刷色情報、および推奨背景色情報を関連付けたものである。推奨テープ種情報は、対応するテンプレートに基づいて印刷が行われる際に最適なテープ種（推奨テープ種）を示す。推奨テープ幅情報は、対応するテンプレートに基づいて印刷が行われる際に最適なテープ幅（推奨テープ幅）を示す。推奨印刷色情報は、対応するテンプレートに基づいて印刷が行われる際に最適な印刷色（推奨印刷色）を示す。推奨背景色情報は、対応するテンプレートに基づいて印刷が行われる際に最適な背景色（推奨背景色）を示す。
【００６５】
推奨テープ種、推奨テープ幅、推奨印刷色、および推奨背景色は、対応するテンプレートについて、作成されたラベルの用途、貼付場所等に応じて設定されたものである。例えば、非常口用テンプレートでは、推奨テープ種として「蓄光テープ」、推奨テープ幅として「限定なし」、推奨印刷色として「緑色」、推奨背景色として「白色」が設定されている。なお、推奨テープ種、推奨テープ幅、推奨印刷色、および推奨背景色について「限定なし」とは、特定のテープ種、テープ幅、印刷色或いは背景色に限定されることなく、種々のテープ種、テープ幅、印刷色或いは背景色を採用し得ることを意味する。
【００６６】
図５に基づいて、ＲＯＭ１８２のデータ記憶領域１８２２に記憶されたカートリッジテーブル１８２Ｂについて説明する。カートリッジテーブル１８２Ｂは、テープカートリッジ２の種類ごとに、テープ種情報、テープ幅情報、印刷色情報、および背景色情報を関連付けたものである。例えば、カートリッジＡに対しては、テープ種「樹脂テープ」、テープ幅「３６ｍｍ」、印刷色「黒色」、および背景色「白色」が関連付けられている。
【００６７】
図６に基づいて、制御回路１８の機能構成について説明する。制御回路１８は、カートリッジ情報取得部１８ａと、推奨カートリッジ情報取得部１８ｂと、判断部１８ｃとを備えている。これらの各機能部は、制御回路１８を構成するハードウェアと、ＲＯＭ１８２のプログラム記憶領域１８２１に記憶された推奨カートリッジ報知処理プログラム等のソフトウェアとの協働によって実現される。
【００６８】
カートリッジ情報取得部１８ａは、カートリッジ検出センサー１６から出力されたカートリッジ情報を取得する。カートリッジ情報には、上記のテープ種情報、テープ幅情報、印刷色情報および背景色情報が含まれる。
【００６９】
推奨カートリッジ情報取得部１８ｂは、テンプレートテーブル１８２Ａを参照し、印刷時に使用されるテンプレート、すなわち、テンプレート選択画面において選択されたテンプレート、に関連付けられた推奨カートリッジ情報を取得する。推奨カートリッジ情報には、上記の推奨テープ種情報、推奨テープ幅情報、推奨印刷色情報および推奨背景色情報が含まれる。
【００７０】
判断部１８ｃは、取得されたカートリッジ情報が示すカートリッジ特性が、取得された推奨カートリッジ情報が示す推奨カートリッジ特性に適合するか否かを判断する。カートリッジ特性には、上述したように、テープ種、テープ幅、印刷色および背景色の４つの項目が含まれる。また、推奨カートリッジ特性には、上記の推奨テープ種、推奨テープ幅、推奨印刷色および推奨背景色の４つの項目が含まれる。
【００７１】
図７に基づいて、制御回路１８が、推奨カートリッジ報知処理プログラムに従って実行する推奨カートリッジ報知処理について説明する。制御回路１８は、テンプレートキー１１４が押され、ディスプレイ１２にテンプレートの選択肢が表示された後、カーソルキー１１２および選択・改行キー１１３の操作によって、テンプレートが選択された時点で、推奨カートリッジ報知処理を開始する。
【００７２】
制御回路１８は、ステップＳ１において、カートリッジ検出センサー１６から出力された装着情報に基づいて、カートリッジ装着部１３にテープカートリッジ２が装着されているか否かを判断する。制御回路１８は、カートリッジ装着部１３にテープカートリッジ２が装着されていると判断した場合（Ｓ１；Ｙｅｓ）、ステップＳ４に進む。一方、制御回路１８は、カートリッジ装着部１３にテープカートリッジ２が装着されていないと判断した場合（Ｓ１；Ｎｏ）、ステップＳ２に進む。
【００７３】
制御回路１８は、ステップＳ２において、カートリッジ無しメッセージをディスプレイ１２に表示させる。カートリッジ無しメッセージは、ユーザーに対してテープカートリッジ２の装着を促すものである。
【００７４】
制御回路１８は、ステップＳ３に進み、カートリッジ検出センサー１６から出力された装着情報に基づいて、カートリッジ装着部１３にテープカートリッジ２が装着されたか否かを判断する。制御回路１８は、カートリッジ装着部１３にテープカートリッジ２が装着されたと判断した場合（Ｓ３；Ｙｅｓ）、ステップＳ４に進む。一方、制御回路１８は、カートリッジ装着部１３にテープカートリッジ２が装着されていないと判断した場合（Ｓ３；Ｎｏ）、ステップＳ３を繰り返す。
【００７５】
ステップＳ４において、制御回路１８のカートリッジ情報取得部１８ａは、カートリッジ検出センサー１６から出力されたカートリッジ情報を取得する。すなわち、カートリッジ情報取得部１８ａは、テープ種情報、テープ色情報、印刷色情報および背景色情報を取得する。また、ステップＳ４において、制御回路１８の推奨カートリッジ情報取得部１８ｂは、テンプレートテーブル１８２Ａを参照し、テンプレート選択画面において選択されたテンプレートに関連付けられた推奨カートリッジ情報を取得する。すなわち、推奨カートリッジ情報取得部１８ｂは、推奨テープ種情報、推奨テープ色情報、推奨印刷色情報および推奨背景色情報を取得する。
【００７６】
ステップＳ５に進み、制御回路１８の判断部１８ｃは、カートリッジ情報取得部１８ａにより取得されたテープ種情報が示すテープ種が、推奨カートリッジ情報取得部１８ｂにより取得された推奨テープ種情報が示す推奨テープ種に適合するか否かを判断する。
【００７７】
ステップＳ６に進み、判断部１８ｃは、カートリッジ情報取得部１８ａにより取得されたテープ幅情報が示すテープ幅が、推奨カートリッジ情報取得部１８ｂにより取得された推奨テープ幅情報が示す推奨テープ幅に適合するか否かを判断する。
【００７８】
ステップＳ７に進み、判断部１８ｃは、カートリッジ情報取得部１８ａにより取得された印刷色情報が示す印刷色が、推奨カートリッジ情報取得部１８ｂにより取得された推奨印刷色情報が示す推奨印刷色に適合するか否かを判断する。
【００７９】
ステップＳ８に進み、判断部１８ｃは、カートリッジ情報取得部１８ａにより取得された背景色情報が示す背景色が、推奨カートリッジ情報取得部１８ｂにより取得された推奨背景色情報が示す推奨背景色に適合するか否かを判断する。
【００８０】
ステップＳ９に進み、判断部１８ｃは、カートリッジ特性の全項目について、カートリッジ特性が推奨カートリッジ特性に適合するか否かを判断する。判断部１８ｃは、１つの項目でも、カートリッジ特性が推奨カートリッジ特性に適合しないと判断した場合（Ｓ９；Ｎｏ）、ステップＳ１０に進む。一方、判断部１８ｃは、全項目について、カートリッジ特性が推奨カートリッジ特性に適合すると判断した場合（Ｓ９；Ｙｅｓ）、ステップＳ１３に進む。
【００８１】
制御回路１８は、ステップＳ１０において、カートリッジ交換画面Ｄをディスプレイ１２に表示させる（図８参照）。カートリッジ交換画面Ｄには、不適合項目メッセージＭ１と、交換メッセージＭ２と、「はい」および「いいえ」の２つの交換選択肢Ｍ３とが表示される。
【００８２】
不適合項目メッセージＭ１は、カートリッジ特性が推奨カートリッジ特性に適合しないと判断された項目を示すものである。交換メッセージＭ２は、カートリッジ装着部１３に装着されたテープカートリッジ２を、推奨テープカートリッジに交換するように促すものである。推奨テープカートリッジとは、取得された推奨カートリッジ情報が示す推奨カートリッジ特性に適合したカートリッジ特性を有するテープカートリッジ２を意味する。制御回路１８は、カートリッジテーブル１８２Ｂを参照し、すべての項目について、取得された推奨カートリッジ特性に適合するカートリッジ特定を有するテープカートリッジ２を、推奨テープカートリッジとして特定する。「はい」および「いいえ」の２つの交換選択肢Ｍ３は、現時点で装着されているテープカートリッジ２に対して印刷を行うか否かを、ユーザーに選択させるためのものである。
【００８３】
制御回路１８は、ステップＳ１１に進み、操作パネル１１が受け付けた操作に基づいて、カートリッジ交換画面Ｄに表示された２つの交換選択肢Ｍ３「はい」および「いいえ」のうち、「はい」が選択されたか否かを判断する。制御回路１８は、２つの交換選択肢Ｍ３のうち「はい」が選択されたと判断した場合（Ｓ１１；Ｙｅｓ）、ステップＳ１２に進む。一方、制御回路１８は、ステップＳ１１において、２つの交換選択肢Ｍ３のうち「いいえ」が選択されたと判断した場合（Ｓ１１；Ｎｏ）、ステップＳ１３に進む。
【００８４】
制御回路１８は、ステップＳ１２において、カートリッジ検出センサー１６から出力された装着情報に基づいて、テープカートリッジ２が交換されたか否かを判断する。制御回路１８は、テープカートリッジ２が交換されたと判断した場合（Ｓ１２；Ｙｅｓ）、ステップＳ４に戻る。制御回路１８は、テープカートリッジ２が交換されていないと判断した場合、ステップＳ１２を繰り返す。
【００８５】
制御回路１８は、ステップＳ１３において、選択されたテンプレートが適用されたキャラクター入力画面をディスプレイ１２に表示させる。制御回路１８は、ステップＳ１３を実行した後、推奨カートリッジ報知処理を終了する。
【００８６】
ここで、カートリッジ装着部１３にカートリッジＡ（図５参照）が装着されている状態で、非常口用テンプレートが選択された場合を例に、推奨カートリッジ報知処理について具体的に説明する。
【００８７】
制御回路１８は、ステップＳ１において、カートリッジ装着部１３にテープカートリッジ２が装着されていると判断し（Ｓ１；Ｙｅｓ）、ステップＳ４に進む。
【００８８】
ステップＳ４において、カートリッジ情報取得部１８ａは、カートリッジ検出センサー１６から出力されたカートリッジ情報を取得する。すなわち、カートリッジ情報取得部１８ａは、テープ種「樹脂テープ」を示すテープ種情報と、テープ幅「３６ｍｍ」を示すテープ幅情報と、印刷色「黒色」を示す印刷色情報と、背景色「白色」を示す背景色情報とを取得する。また、ステップＳ４において、推奨カートリッジ情報取得部１８ｂは、テンプレートテーブル１８２Ａを参照し、選択された非常口用テンプレートと関連付けられた推奨カートリッジ情報を取得する。すなわち、推奨カートリッジ情報取得部１８ｂは、推奨テープ種「蓄光テープ」を示す推奨テープ種情報と、推奨テープ幅「３６ｍｍ」を示す推奨テープ幅情報と、推奨印刷色「黒色」を示す推奨印刷色情報と、推奨背景色「白色」を示す推奨背景色情報とを取得する。
【００８９】
ステップＳ５に進み、判断部１８ｃは、取得されたテープ種情報が示すテープ種が「樹脂テープ」であり、取得された推奨テープ種情報が示す推奨テープ種が「蓄光テープ」であることから、テープ種が推奨テープ種に適合していないと判断する。
【００９０】
ステップＳ６に進み、判断部１８ｃは、取得されたテープ幅情報が示すテープ幅が「３６ｍｍ」であり、取得された推奨テープ種情報が示す推奨テープ幅が「限定なし」であることから、テープ幅が推奨テープ幅に適合していると判断する。
【００９１】
ステップＳ７に進み、判断部１８ｃは、取得された印刷色情報が示す印刷色が「黒色」であり、取得された推奨印刷色情報が示す推奨印刷色が「緑色」であることから、印刷色が推奨印刷色に適合していないと判断する。
【００９２】
ステップＳ８に進み、判断部１８ｃは、取得された背景色情報が示す背景色が「白色」であり、取得された推奨背景色情報が示す推奨背景色が「白色」であることから、背景色が推奨背景色に適合していると判断する。
【００９３】
ステップＳ９に進み、判断部１８ｃは、４つの項目のうち２つの項目について、カートリッジ特性が推奨カートリッジ特性に適合しないと判断し（Ｓ９；Ｎｏ）、ステップＳ１０に進む。
【００９４】
制御回路１８は、ステップＳ１０において、図８に示すように、カートリッジ交換画面Ｄをディスプレイ１２に表示させる。カートリッジ交換画面Ｄには、不適合項目メッセージＭ１として、カートリッジ特性の４つの項目のうち、テープ種および印刷色が不適合であることを示すメッセージが表示される。この不適合項目メッセージＭ１により、現時点で装着されているテープカートリッジ２に対して印刷を行うか否かをユーザーが選択するための判断材料を、ユーザーに提供することができる。すなわち、テープ種および印刷色が推奨テープ種および推奨印刷色と違っていても構わないユーザーは、現時点で装着されているテープカートリッジ２に対して印刷が行われるように、カートリッジ交換画面Ｄにおいて２つの交換選択肢Ｍ３のうち「いいえ」を選択すればよい。一方、テープ種或いは印刷色が推奨テープ種或いは推奨印刷色と違っていては困るユーザーは、現時点で装着されているテープカートリッジ２に対して印刷が行われないように、カートリッジ交換画面Ｄにおいて２つの交換選択肢Ｍ３のうち「はい」を選択すればよい。
【００９５】
また、制御回路１８は、カートリッジテーブル１８２Ｂを参照し、全項目について推奨カートリッジ特性に適合したカートリッジ特性を有するカートリッジＢを、推奨テープカートリッジとして特定する。これにより、カートリッジ交換画面Ｄには、交換メッセージＭ２として、カートリッジＢに交換するように促すメッセージが表示される。
【００９６】
カートリッジ交換画面Ｄにおいて、２つの交換選択肢Ｍ３のうち「はい」が選択されると、制御回路１８は、ステップＳ１１において、「はい」が選択されたと判断し（Ｓ１１；Ｙｅｓ）、ステップＳ１２に進む。
【００９７】
そして、カートリッジＡからカートリッジＢに交換されると、制御回路１８は、ステップＳ１２において、テープカートリッジ２が交換されたと判断し（Ｓ１２；Ｙｅｓ）、ステップＳ４に戻る。カートリッジＢに交換されたため、ステップＳ４において、カートリッジ情報取得部１８ａは、テープ種「蓄光テープ」を示すテープ種情報と、テープ幅「３６ｍｍ」を示すテープ幅情報と、印刷色「緑色」を示す印刷色情報と、背景色「白色」を示す背景色情報とを取得する。
【００９８】
そのため、制御回路１８は、ステップＳ５ないしステップＳ８において、テープ種、テープ幅、印刷色および背景色のいずれも、推奨テープ種、推奨テープ幅、推奨印刷色および推奨背景色に適合すると判断する。
【００９９】
制御回路１８は、ステップＳ９において、４つの全項目について、カートリッジ特性が推奨カートリッジ特性に適合すると判断し（Ｓ９；Ｙｅｓ）、ステップＳ１３に進む。
【０１００】
制御回路１８は、ステップＳ１３において、非常口用テンプレートが適用されたキャラクター入力画面をディスプレイ１２に表示させる。
【０１０１】
以上のように、本実施形態のテープ印刷装置１によれば、カートリッジ装着部１３と、印刷ヘッド１７と、カートリッジ情報取得部１８ａと、推奨カートリッジ情報取得部１８ｂと、判断部１８ｃと、ディスプレイ１２とを備えている。カートリッジ装着部１３には、テープカートリッジ２が装着される。印刷ヘッド１７は、装着されたテープカートリッジ２に収容されたテープ状部材２１に印刷を行う。カートリッジ情報取得部１８ａは、装着されたテープカートリッジ２のカートリッジ特性を示すカートリッジ情報を取得する。推奨カートリッジ情報取得部１８ｂは、印刷時に使用されるテンプレートについて設定された推奨カートリッジ特性を示す推奨カートリッジ情報を取得する。判断部１８ｃは、取得されたカートリッジ情報が示すカートリッジ特性が、取得された推奨カートリッジ情報が示す推奨カートリッジ特性に適合するか否かを判断する。ディスプレイ１２は、カートリッジ特性が推奨カートリッジ特性に適合しないと判断された場合に、メッセージを表示する。
この構成によれば、装着されたテープカートリッジ２のカートリッジ特性が、印刷時に使用されるテンプレートについて設定された推奨カートリッジ特性に適合しない場合に、判断部１８ｃによりカートリッジ特性が推奨カートリッジ特性に適合しないと判断される。その結果、ディスプレイ１２によりメッセージが表示される。したがって、本構成によれば、印刷時に使用されるテンプレートについて設定された推奨カートリッジ特性に適合しないカートリッジ特性を有するテープカートリッジが装着された場合に、メッセージを表示することができる。
【０１０２】
また、本実施形態のテープ印刷装置１によれば、ディスプレイ１２が、メッセージとして、推奨テープカートリッジへの交換を促す交換メッセージＭ２を表示する。
この構成によれば、印刷時に使用されるテンプレートについて設定された推奨カートリッジ特性に適合しないカートリッジ特性を有するテープカートリッジ２が装着された場合に、交換メッセージＭ２が表示される。これにより、印刷時に使用されるテンプレートについて設定された推奨カートリッジ特性に適合したカートリッジ特性を有するテープカートリッジ２へ交換するように、ユーザーに促すことができる。また、ユーザーがそのようなカートリッジ特性を有するテープカートリッジ２が存在することを知らない場合、交換メッセージＭ２により、ユーザーに対してそのテープカートリッジ２の存在を知らせることができる。
【０１０３】
また、本実施形態のテープ印刷装置１によれば、カートリッジ情報取得部１８ａは、それぞれが異なる項目のカートリッジ特性を示す４つのカートリッジ情報、すなわち、テープ種情報、テープ幅情報、印刷色情報および背景色情報を取得する。推奨カートリッジ情報取得部１８ｂは、それぞれが異なる項目のカートリッジ特性を示す４つの推奨カートリッジ情報、すなわち、推奨テープ種情報、推奨テープ幅情報、推奨印刷色情報および推奨背景色情報を取得する。判断部１８ｃは、共通する項目同士で、取得されたカートリッジ情報が示すカートリッジ特性が、取得された推奨カートリッジ情報が示す推奨カートリッジ特性に適合するか否かを判断する。例えば、判断部１８ｃは、取得されたテープ種情報が示すテープ種が、取得された推奨テープ種情報が示す推奨テープ種に適合するか否かを判断する。ディスプレイ１２は、メッセージとして、カートリッジ特性が推奨カートリッジ特性に適合しないと判断された項目を示す不適合メッセージを表示する。
この構成によれば、４項目のうち少なくとも１の項目について、推奨カートリッジ特性に適合しないカートリッジ特性を有するテープカートリッジ２が装着された場合に、不適合項目メッセージＭ１が表示される。これにより、４項目のなかのいずれの項目について、カートリッジ特性が推奨カートリッジ特性に適合しないのかを、ユーザーに知らせることができる。なお、当然ではあるが、カートリッジ情報取得部１８ａが取得するカートリッジ情報の数は、４つに限定されるものではない。推奨カートリッジ情報取得部１８ｂが取得する推奨カートリッジ情報の数についても、同様である。
【０１０４】
なお、印刷ヘッド１７は、「印刷部」の一例である。
本発明は上記した実施形態に限定されず、その趣旨を逸脱しない範囲で種々の構成を採用可能であることは言うまでもない。例えば、本実施形態は、以下のような形態に変更することができる。
【０１０５】
カートリッジ検出センサー１６は、テープ種検出用画像２５２等の各検出画像を読み取ることにより、カートリッジ情報を出力する構成に限定されるものではない。例えば、カートリッジ検出センサー１６は、テープ種ごとに形状が異なるテープカートリッジ２の形状の違いを、複数のマイクロスイッチのＯＮ／ＯＦＦのパターンに基づいて検出することにより、カートリッジ情報を出力する構成であってもよい。テープ色情報、印刷色情報および背景色情報など、他のカートリッジ情報の出力についても同様である。
【０１０６】
カートリッジ情報取得部１８ａは、カートリッジ情報を取得する方法として、カートリッジ検出センサー１６から出力されたテープ種情報等のカートリッジ情報を取得する構成に限定されるものではない。例えば、カートリッジ情報取得部１８ａは、カートリッジ検出センサー１６から出力されたカートリッジ種別情報を取得すると共に、カートリッジ情報とカートリッジ種別情報とが関連付けられたテーブルを参照することで、カートリッジ情報を取得してもよい。ここで、カートリッジ種別情報は、テープカートリッジ２の種類ごとに固有の情報である。また、カートリッジ情報取得部１８ａは、操作パネル１１が受け付けた操作に基づいて、カートリッジ情報を取得してもよい。すなわち、ユーザーが、装着されたテープカートリッジ２のカートリッジ情報を、操作パネル１１から入力してもよい。
【０１０７】
テープ印刷装置１は、報知部として、ディスプレイ１２のような表示手段に代えて、例えば、音声によりメッセージを報知する音声出力手段を備えてもよい。
【０１０８】
図９に示すように、テープ印刷装置１は、パソコンのような情報処理装置３と通信可能に接続して使用することも可能である。情報処理装置３は、入力操作部３１と、表示部３２と、通信部３３と、制御回路３４とを備えている。入力操作部３１としては、例えばキーボード、マウス、タッチパネル等を用いることができる。表示部３２としては、例えばカラー液晶ディスプレイを用いることができる。通信部３３は、テープ印刷装置１の通信用インターフェース１０との間で、各種データや各種コマンドを送受信する。制御回路３４は、ＣＰＵ３４１と、ＲＯＭ３４２と、ＲＡＭ３４４と、ＨＤＤ３４５（Hard Disk Drive）とを備えている。本構成では、テープ印刷装置１のＲＯＭ１８２に代えて、情報処理装置３のＲＯＭ３４２に、上記の推奨カートリッジ報知処理プログラムと、テンプレートテーブル３４２Ａ（図４参照）と、カートリッジテーブル３４２Ｂ（図５参照）とが記憶されている。
【０１０９】
この場合、テープ印刷装置１の制御回路１８に代えて、情報処理装置３の制御回路３４が、機能的に、カートリッジ情報取得部３４ａと、推奨カートリッジ情報取得部３４ｂと、判断部３４ｃとを備える（図６参照）。カートリッジ情報取得部３４ａは、テープ印刷装置１から送信されたカートリッジ情報を取得する。推奨カートリッジ情報取得部３４ｂは、テンプレートテーブル３４２Ａを参照し、表示部３２に表示されたテンプレート選択画面において選択されたテンプレートに関連付けられた推奨カートリッジ情報を取得する。判断部３４ｃは、取得されたカートリッジ情報が示すカートリッジ特性が、取得された推奨カートリッジ情報が示す推奨カートリッジ特性に適合するか否かを判断する。
【０１１０】
そして、表示部３２は、判断部３４ｃによりカートリッジ特性が推奨カートリッジ特性に適合しないと判断された場合に、メッセージを表示する。以上のように、本発明は、情報処理装置３に適用することも可能である。
【０１１１】
本発明は、情報処理装置３を、本発明の報知装置として機能させるためのプログラム（例えば、上記の推奨カートリッジ報知処理プログラム）、およびそのプログラムを記録した記録媒体（ＣＤ−ＲＯＭ、フラッシュメモリー等）として提供することも可能である。
【０１１２】
（実施形態２）
次に、実施形態２について、図１０から図１５を中心に図１を含む各図を交えて説明する。
実施形態１では、テープ状部材２１に印刷するテンプレートについて設定された推奨カートリッジ情報を取得する構成であったが、本実施形態では、テープ状部材２１に印刷する文字情報から推奨カートリッジを推定する構成である点が異なる。尚、本実施形態によるテープ印刷装置４０１は、実施形態１によるテープ印刷装置１と、図１および図２に示す基本的なハードウェア構成要素に関しては共通である。以降に、実施形態１と異なる点を中心に本実施形態について説明する。尚、実施形態１と同様な構成および機能については、説明を省略している。尚、以降、テープ状部材２１を単にテープと呼称する。
【０１１３】
図１０は、実施形態２におけるテープ印刷装置の機能を概略的に説明する図である。
まず、文字情報取得部４５１は、ユーザーにより入力されたテープに印刷するための文字情報を取得する。文字情報は字句抽出部４５３へ出力される。以降、文字情報の一例として、文字列データ４２１ａ「この通路は危険です！」を用いて説明する。
【０１１４】
文字列データ４２１ａは、字句抽出部４５３へ出力される。字句抽出部４５３は、文字列データ４２１ａから字句４５３ａを抽出する。字句４５３ａでは、「この通路は危険です！」が「この」「通路」「は」「危険」「です」「！」の６個の字句に分解されている。
環境特性推定部４５５は、字句４５３ａの６個の字句から環境特性４５５ｂを推定する。環境特性推定部４５５では、推定環境特性対応テーブル４３０を参照して字句４５５ａ（字句４５３ａと同じ内容）に対応する環境特性４３０ａを取得して、環境特性４５５ｂを生成する。環境特性４５５ｂでは、「危険」の字句が「危険度（５）」の環境特性に、「！」の字句が「危険度（４）」の環境特性として導出されている。尚、危険度は、環境特性の指標の一つであり、「５」は危険度が高いことを示す指標値である。
【０１１５】
次に、環境特性推定部４５５は、文字列データ４２１ａの環境特性を総合的に推定し、推定環境特性データ４２３ａ「危険度（５）」を推奨カートリッジ情報生成部４５７へ出力する。
推奨カートリッジ情報生成部４５７では、推奨カートリッジ情報対応テーブル４４０を参照して、推奨カートリッジ情報を生成する。推奨カートリッジ情報生成部４５７は、推奨カートリッジ情報対応テーブル４４０から推定環境特性データ４５７ａ（推定環境特性データ４２３ａと同じ内容）に対応する推奨カートリッジ情報４４０ａを取得する。推奨カートリッジ情報４４０ａは、「背景色（黄色）、印刷色（黒色）、テープ種粘着（強）、テープ幅（３６ｍｍ）」が示されており、各項目はカートリッジ特性を示している。推奨カートリッジ情報生成部４５７では、生成した推奨カートリッジ情報データ４２５ａ（ここでは、推奨カートリッジ情報４４０ａと同じ内容）を判断部４６３へ出力する。
【０１１６】
判断部４６３では、カートリッジ情報取得部４６１からテープ印刷装置４０１の装着部４１１（図１１参照）に装着されている装着カートリッジ情報データ４２７ａを取得する。判断部４６３では、推奨カートリッジ情報データ４２５ａと装着カートリッジ情報データ４２７ａとの内容を比較して、異なると判定した場合に、報知部４１３へカートリッジ交換画面Ｄ４００を表示する。カートリッジ交換画面Ｄ４００には、推奨カートリッジ情報データ４２５ａのカートリッジ特性を有するテープカートリッジ（画面Ｄ４００では、「カートリッジＥ」）と交換するか否かをユーザーに選択させる。画面Ｄ４００では、「はい」を示すボタンＤ４００ｙと「いいえ」を示すボタンＤ４００ｎが配置されている。
【０１１７】
このようにして、テープ印刷装置４０１では、ユーザーがテープに印刷したい文字列データ４２１ａから、環境特性推定部４５５、推奨カートリッジ情報生成部４５７の処理により推奨カートリッジ情報データ４２５ａを生成し、カートリッジ情報取得部４６１、判断部４６３の処理によりカートリッジ交換画面Ｄ４００を表示している。つまり、テープ印刷装置４０１では、入力された文字情報に含まれる字句の意図を解析し、文字情報が印刷されたテープが利用される環境や用途を推定する。推定された利用環境や用途に適したカートリッジをユーザーに推奨している。ユーザーは、テープ印刷装置４０１に、文字列データ４２１ａに示す「この通路は危険です！」の文字情報を入力しただけで、その用途および利用環境に合った推奨カートリッジ情報データ４２５ａの情報を確認することができる。
以降に、このような効果を実現するためのテープ印刷装置４０１およびその変形例について詳細に説明する。
【０１１８】
図１１は、実施形態２におけるテープ印刷装置の構成を概略的に示すブロック図である。テープ印刷装置４０１は、入力部４１０、装着部４１１、報知部４１３、印刷部４１５、通信部４１７、記憶部４２０、および制御回路４５０などを備えて構成されている。
【０１１９】
入力部４１０は、キャラクターキー１１１を備える操作パネル１１（図１）などで構成されている。キャラクターキー１１１からは、文字、記号、絵文字等を含む文字情報が入力される。キャラクターキー１１１が押下されると、文字、記号、絵文字等に対応する文字コード、記号コード、絵文字コード等が制御回路４５０へ出力される。また、入力部４１０は、ディスプレイ１２（図１）を覆うタッチパネルであってもよい。その場合は、タッチされたディスプレイ１２の表示内容に対応するコード等が制御回路４５０へ出力される。
【０１２０】
装着部４１１は、テープカートリッジ２を着脱可能に装着するカートリッジ装着部１３（図１）を備えて構成される。実施形態１で上述したようにカートリッジ装着部１３には、カートリッジ検出センサー１６が含まれており、テープカートリッジ２が装着された場合に装着されているカートリッジのカートリッジ情報を取得して出力する。また、装着部４１１では、制御回路４５０から要求に応じて、テープカートリッジ２が装着されているか否かの装着有無情報を送信する。なお、装着有無情報には、装着されているテープカートリッジ２のカートリッジ情報も含まれている。尚、装着部４１１は、カートリッジ装着部に相当する。
【０１２１】
報知部４１３は、ディスプレイ１２、ディスプレイ駆動回路１９１（図２参照）、および図示を省略する音出力部などで構成されている。ディスプレイ１２およびディスプレイ駆動回路１９１は、制御回路４５０から出力される各種表示信号に基づいて各種表示画面を表示する。音出力部は、スピーカーやブザー等を有して構成され、制御回路４５０から出力される音出力信号に基づいた各種音出力を行う。音出力部からは、テープ印刷装置４０１の操作に係る音声ガイダンスやアラーム音等が出力される。
【０１２２】
印刷部４１５は、印刷ヘッド１５、ヘッド駆動回路１９２、モーター１９、モーター駆動回路１９３、カッター１４、テープ排出口１５（図１および図２参照）、および図示を省略するテープ搬送部などで構成されている。印刷部４１５では、制御回路４５０から出力される印刷指示信号、印刷画像、およびテープカット信号等に基づいて印刷画像が印刷されたテープ片（ラベルなど）を生成する。
【０１２３】
通信部４１７は、通信用インターフェース１０（図９）などで構成され、情報処理装置３（図９）および情報処理装置５０１（図１５）などの他の機器との間で各種データや各種コマンドを送受信する。
【０１２４】
（記憶部）
記憶部４２０は、ＲＯＭやフラッシュＲＯＭ、ＲＡＭ、ＨＤＤ、ＳＳＤ（Solid State Drive）等の記憶装置によって構成され、各種処理の処理中データ、各処理で参照するテーブルなどの情報が格納されている。
記憶部４２０は、文字列データ４２１、推定環境特性データ４２３、推奨カートリッジ情報データ４２５、装着カートリッジ情報データ４２７、推定環境特性対応テーブル４３０、推奨カートリッジ情報対応テーブル４４０〜４４５などが格納されている。
【０１２５】
文字列データ４２１は、印刷する文字情報であり、入力部４１０から入力された文字情報が、印刷部４１５によって印刷されるまでの間、記憶部４２０に格納されている。尚、文字列データ４２１は、外部の情報処理装置５０１（図１５）から通信部４１７を介して受信された文字情報が格納されてもよい。
【０１２６】
推定環境特性データ４２３は、文字列データ４２１から推定された環境特性の結果が格納されている。具体的には、文字列データ４２１から推定された環境特性の指標と指標値が格納されている。
【０１２７】
推奨カートリッジ情報データ４２５は、推定環境特性データ４２３の環境特性に対して推奨するカートリッジ特性が示された推奨カートリッジ情報が格納されている。
【０１２８】
装着カートリッジ情報データ４２７は、テープ印刷装置４０１にテープカートリッジが装着されている場合には、当該テープカートリッジのカートリッジ特性が示された装着カートリッジ情報が格納されている。
【０１２９】
推定環境特性対応テーブル４３０は、文字情報から抽出された字句情報を、環境特性の情報と対応付ける情報テーブルである。
【０１３０】
図１２は、推定環境特性対応テーブルの一例を示す図である。推定環境特性対応テーブル４３０の列４３０ｍは「対象字句」であり、環境特性の指標値を導出可能な字句が格納されている。列４３０ｎ〜列４３０ｓには、環境特性の指標の内容が表されている。
列４３０ｎは「危険度」、列４３０ｏは「高温度」、列４３０ｐは「暗闇度」、列４３０ｑは「事務度」、４３０ｒは「金属度」、４３０ｓは「祝福度」の指標を表し、それぞれの列には、「０」〜「５」の６段階の指標値が格納可能である。また、空白は、「ＮＵＬＬ」（例えば、「−１」）が格納されており、定義されていないことを示している。「危険度」は危険の度合であり、例えば、「対象字句」が「危険」や「感電」では、危険度が高い「５」を示し、［熱い」は、危険度がやや低い「３」を示している。これは、文字列データ４２１に危険や感電という字句が含まれていた場合は、危険度の指標値を「５」に設定することを示している。同様に、「高温度」は高温の度合を示し、「５」に近いほうが高温で「０」に近いほうが高温度合が低い。「暗闇度」は、暗い場所の度合を示し、より暗い場所は「５」に近い値を示している。「事務度」は、事務用途に使われる可能性が高い場合は「５」に近い値を示している。「金属度」は、強磁性体を意味し、磁石などを保持する度合を示し、例えば鉄などの部位に貼られる場合は「５」に近い値を示している。「祝福度」は、祝い事に関係する用途に使われる可能性が高い場合では「５」に近い値を示し、反対にお悔やみ事に用いられる場合では「０」を示している。
【０１３１】
推奨カートリッジ情報対応テーブル４４０〜４４５は、環境特性の指標および指標値を、カートリッジ特性と対応付ける情報テーブルである。
【０１３２】
図１３Ａ〜Ｆは、推奨カートリッジ情報対応テーブルの一例を示す図である。
推奨カートリッジ情報対応テーブル４４０（図１３Ａ）は、環境特性の指標として「危険度」に対応している。列４４０ｍでは、「危険度」の指標値「５」〜「０」が示されている。列４４０ｍの各指標値に対応して、列４４０ｎではカートリッジ特性の「背景色」、列４４０ｏでは「印刷色」、列４４０ｐでは「テープ種（粘着）」、列４４０ｑでは「テープ種（材質）」、列４４０ｒでは「テープ幅」の情報が格納されている。例えば、「危険度」が「５」の場合では、「背景色」が「黄色」、「印刷色」が「黒色」、「テープ種（粘着）」が「粘着（強）」、「テープ幅」が「３６ｍｍ」であることが示されている。尚、「−」は、定義されていないことを示す。
【０１３３】
推奨カートリッジ情報対応テーブル４４１（図１３Ｂ）は、環境特性の指標として「高温度」を、推奨カートリッジ情報対応テーブル４４２（図１３Ｃ）は「暗闇度」を、推奨カートリッジ情報対応テーブル４４３（図１３Ｄ）は「事務度」を、推奨カートリッジ情報対応テーブル４４４（図１３Ｅ）は「金属度」を、推奨カートリッジ情報対応テーブル４４５（図１３Ｆ）は「祝福度」を対象としたテーブルである。推奨カートリッジ情報対応テーブル４４１〜４４５の各テーブルにおける各列４４１〜４４５（ｍ〜ｒ）列に関しては、推奨カートリッジ情報対応テーブル４４０と同様なカートリッジ特性を示しているため、個々の説明を省略する。
【０１３４】
（制御回路）
図１１の説明に戻る。
制御回路４５０は、機能構成として、文字情報取得部４５１、字句抽出部４５３、環境特性推定部４５５、推奨カートリッジ情報生成部４５７、カートリッジ情報取得部４６１、判断部４６３などの機能部を有している。
【０１３５】
文字情報取得部４５１は、文字情報を取得する。文字情報は、ユーザーがテープ表面に印刷を所望する情報であり、ユーザーにより入力された文章（文字列）が、記憶部４２０に文字列データ４２１として記憶されている。文字情報取得部４５１では、記憶部４２０から文字列データ４２１を読み込み取得する。また、文字情報取得部４５１は、入力部４１０を制御して、入力された文字を１文字毎に取得する構成であってもよい。また、文字情報取得部４５１は、通信部４１７を制御して、受信された文字を１文字毎に取得する構成であってもよい。
文字情報取得部４５１は、取得した文字情報を字句抽出部４５３へ出力する。
【０１３６】
字句抽出部４５３は、文字情報取得部４５１から入力した文字情報の文字列を分割して字句を切り出す。字句を解析する手法は、公知のＬＥＸ（レキシカルアナライザー）などの字句解析プログラムが用いられてもよい。字句抽出部４５３では、分割された字句を記憶部４２０の文字列配列（図示は省略）に字句情報として格納する。
【０１３７】
環境特性推定部４５５は、字句情報の各字句に対応する環境特性の指標とその指標値を生成する。環境特性とは、文字情報が印刷されたテープが利用される環境や状態の特徴である。この環境特性を定量化する指標として、例えば、「危険度」、「高温度」、「暗闇度」、「事務度」、「金属度」、および「祝福度」などが定義されている。
環境特性推定部４５５は、推定環境特性対応テーブル４３０を参照して、字句に対応する環境特性の指標と指標値を取得する。環境特性推定部４５５は、ひとつの指標に対して複数の指標値を取得した場合は、高い（大きい）値の指標値を優先して選択する。例えば、「危険度」が「４」と、「危険度」が「５」とを取得した場合は、「危険度」が「５」を優先して選択する。また、複数ペアの指標および指標値を取得することもできる。例えば、対象字句が「発火」（図１２参照）では、「危険度」が「４」、「高温度」が「５」などの複数ペアの指標および指標値を取得する。取得した指標および指標値を、記憶部４２０へ推定環境特性データ４２３として格納する。
【０１３８】
尚、環境特性推定部４５５は、指標および指標値が推定された字句（字句も含めて）を関連付けて、推定環境特性データ４２３へ格納する構成としてもよい。例えば、対象字句が「発火」では、「危険度」が「４」、「高温度」が「５」を１セットの情報として、対照字句が「非常口」（図１２参照）では、「危険度」が「４」、「暗闇度」が「５」を１セットの情報として、２セットの情報が格納される。
【０１３９】
推奨カートリッジ情報生成部４５７は、環境特性に適応するカートリッジ特性の情報から、推奨する推奨カートリッジ情報を生成する。詳しくは、推定環境特性データ４２３を読み出して、環境特性の指標とその指標値を取得する。推奨カートリッジ情報対応テーブル４４０〜４４５を参照して、環境特性の指標と指標値に対応するカートリッジ特性の情報を取得する。取得したカートリッジ特性の情報を記憶部４２０へ推奨カートリッジ情報データ４２５として格納する。推奨カートリッジ情報データ４２５には、推奨するカートリッジ特性の情報が格納される。例えば、推奨カートリッジ情報対応テーブル４４０（図１３Ａ）を参照すると、「危険度」が「５」の環境特性では、「背景色」が「黄色」、「印刷色」が「黒色」、「テープ種（粘着）」が「粘着（強）」、「テープ幅」が「３６ｍｍ」のカートリッジ特性の情報が格納される。
また、上述したように、推定環境特性データ４２３のデータが、字句と関連づけられて複数セットの情報が格納されていた場合には、推奨カートリッジ情報生成部４５７では、字句毎に複数セットのカートリッジ特性の情報を推奨カートリッジ情報データ４２５に格納する。
【０１４０】
カートリッジ情報取得部４６１は、テープ印刷装置４０１の装着部４１１に装着されたテープカートリッジ２の情報を取得し、記憶部４２０へ装着カートリッジ情報データ４２７として格納する。カートリッジ情報取得部４６１では、実施形態１に記載のカートリッジ情報取得部１８ａと同等の機能を有することに加え、制御回路４５０からの要求に基づいて任意のタイミングにテープカートリッジ２が装着されているか否かを示す装着有無情報を取得することができる。
【０１４１】
判断部４６３は、装着されているテープカートリッジ２が推奨するカートリッジ特性を有しているか否か判断する。詳しくは、判断部４６３は、実施形態１に記載の判断部１８ｃと同等の機能を有しており、推奨カートリッジ情報データ４２５の内容と装着カートリッジ情報データ４２７の内容とを比較する。推奨カートリッジ情報データ４２５に複数セットの推奨カートリッジ情報が含まれている場合は、いずれかの推奨カートリッジ情報が装着カートリッジ情報データ４２７と照合できれば、カートリッジ特性を有している（装着カートリッジ情報が推奨カートリッジ情報に適合する）と判断する。推奨カートリッジ情報データ４２５の内容にいずれの装着カートリッジ情報データ４２７も含まれていない場合は、カートリッジ特性を有していない（装着カートリッジ情報が推奨カートリッジ情報に適合しない）と判断する。
【０１４２】
判断部４６３では、判断した結果に対応するメッセージを生成し、報知部４１３へ出力する。
判断部４６３は、装着カートリッジ情報が推奨カートリッジ情報に適合すると判断した場合は、テープに印刷する処理へ移行する旨のメッセージを生成する。例えば、「装着されているカートリッジは、文字情報に最適なテープです。印刷処理に進みます。」といったメッセージを生成し、報知部４１３へ出力する。尚、このような場合では、ユーザーへメッセージの通知は必須ではないため、メッセージの生成、報知をしないで、印刷処理へ進む構成であってもよい。
【０１４３】
判断部４６３は、装着カートリッジ情報が推奨カートリッジ情報に適合しないと判断した場合は、推奨カートリッジ情報データ４２５に格納されているカートリッジ特性を読み出して推奨するテープカートリッジ２の情報を生成する。具体的には、カートリッジテーブル１８２Ｂ（図５）を参照して、同テーブルのカートリッジ特性の各項目と、推奨カートリッジ情報データ４２５のカートリッジ特性の各項目と、を比較して全ての（または主要な）項目が適合するテープカートリッジ２の種類を取得する。例えば、「背景色」が「黄色」、「印刷色」が「黒色」、「テープ種（粘着）」が「粘着（強）」、「テープ幅」が「３６ｍｍ」のカートリッジ特性では、主要な「背景色」、「印刷色」、「テープ幅」が一致しているため、「テープカートリッジ」として「カートリッジＥ」を取得する。判断部４６３では、推奨するカートリッジＥの名称と、そのカートリッジＥが有するカートリッジ特性に関する情報からメッセージを生成する。カートリッジ交換画面Ｄ４００（図１０）に表示される文言はその一例である。また、推奨カートリッジ情報には、主要でない項目が一致しなかった場合に、その項目について説明が加えられてもよい。
【０１４４】
また、判断部４６３では、字句毎に複数セットのカートリッジ特性の情報が推奨カートリッジ情報データ４２５に格納されていた場合では、それぞれの推奨カートリッジ特性に適合する複数のテープカートリッジ２の情報を含むメッセージを生成してもよい。
【０１４５】
また、判断部４６３は、カートリッジ情報取得部４６１からテープカートリッジ２の装着有無情報として装着無しの情報を取得した場合は、推奨するカートリッジ特性に基づいて推奨するテープカートリッジ２の情報を含むメッセージを生成し、報知部４１３へ出力する。
【０１４６】
図１４は、推奨カートリッジ報知処理を示すフローチャート図である。以降、図１４を中心に適宜各図を参照して説明する。尚、以下のフローについては、記憶部４２０および制御回路４５０の記憶領域に記憶された制御プログラム（プログラムに相当する）に基づいて制御回路４５０のＣＰＵが装着部４１１、報知部４１３、および印刷部４１５などの各部を制御することにより実現される。尚、本フローは、報知方法に相当する。
【０１４７】
ステップＳ２００では、文字列を取得する。文字列データ４２１に格納されている文字列を読み込む。本ステップは、文字情報取得工程に相当する。
ステップＳ２１０では、文字列を字句解析し字句を抽出する。本ステップは、字句抽出工程に相当する。
ステップＳ２２０では、環境特性を推定する。推定環境特性対応テーブル４３０を参照して、字句から環境特性の指標と指標値を取得し、推定環境特性データ４２３へ格納する。本ステップは、環境特性推定工程に相当する。
ステップＳ２３０では、推奨カートリッジ情報を生成する。推奨カートリッジ情報対応テーブル４４０〜４４５を参照して、環境特性の指標と指標値から推奨カートリッジ特性を取得し推奨カートリッジ情報を生成し、推奨カートリッジ情報データ４２５へ格納する。本ステップは、推奨カートリッジ情報生成工程に相当する。
【０１４８】
ステップＳ２４０では、カートリッジが装着されているか否か判定する。詳しくは、装着部４１１にテープカートリッジ２が装着されているか否か判定する。装着されていると判定された場合は（Ｙｅｓ）、ステップＳ２５０へ進み、装着されていないと判定された場合は（Ｎｏ）、ステップＳ２７０へ進む。
ステップＳ２５０では、装着カートリッジ情報を取得する。装着部４１１から装着されているテープカートリッジ２のカートリッジ特性を取得し装着カートリッジ情報を生成し、装着カートリッジ情報データ４２７へ格納する。
ステップＳ２６０では、装着カートリッジ情報と推奨カートリッジ情報との各項目を比較する。詳しくは、推奨カートリッジ情報データ４２５の各カートリッジ情報の内容を装着カートリッジ情報データ４２７の内容と比較する。推奨カートリッジ情報データ４２５に複数のカートリッジ情報が含まれている場合は、一式のカートリッジ情報毎に比較する。比較した結果をステップＳ２８０において判定する。
ステップＳ２７０では、推奨カートリッジ情報を表示する。詳しくは、装着部４１１にはいずれのテープカートリッジも装着されていないため、推奨カートリッジ情報データ４２５の情報を報知部４１３へ出力する。本ステップは、報知工程に相当する。
ステップＳ２７０の処理が終わるとステップＳ２４０へ戻る。
【０１４９】
ステップＳ２８０では、ステップＳ２６０において比較した両者に不一致項目が存在するか否か判定する。判定した結果、不一致が存在する場合は（Ｙｅｓ）、ステップＳ２９０へ進み、不一致が存在しない（一致した）場合は（Ｎｏ）、ステップＳ３１０へ進む。
ステップＳ２９０では、カートリッジ交換画面Ｄ４００を表示する。本ステップは、報知工程に相当する。
ステップＳ３００では、「カートリッジを交換する」が選択されたか否か判定する。詳しくは、カートリッジ交換画面Ｄ４００においてボタンＤ４００ｙが選択された場合は（Ｙｅｓ）、ステップＳ２４０へ移り、ボタンＤ４００ｎが選択された場合は（Ｎｏ）、ステップＳ３１０へ進む。
ステップＳ３１０では、テープへの印刷処理を行う。詳しくは、ステップＳ２８０において、装着されているテープカートリッジ２が推奨テープカートリッジである場合、または、ステップＳ３００においてカートリッジを交換しないと選択された場合に本ステップでテープへの印刷が実行される。
【０１５０】
以上述べたように、本実施形態のテープ印刷装置４０１によれば、実施形態１での効果に加えて、以下の効果を得ることができる。
文字情報取得部４５１は、ユーザーがテープに印刷したい文字情報を取得する。取得した文字情報は字句抽出部４５３によって、字句に分割される。環境特性推定部４５５は、字句情報から環境特性を推定する。推定環境特性対応テーブル４３０には、字句情報と環境特性の指標および指標値との対応関係が定義されている。推奨カートリッジ情報生成部４５７は、環境特性の指標および指標値から推奨カートリッジ情報を生成する。推奨カートリッジ情報対応テーブル４４０〜４４５には、環境特性の指標および指標値から推奨するカートリッジ特性が定義されている。推奨カートリッジ情報生成部４５７では、推奨するカートリッジ特性を用いて推奨カートリッジ情報を生成している。
このようにして、テープ印刷装置４０１では、テープに印刷したい文字情報から、テープが利用される環境を推定した環境特性を生成し、環境特性に基づいて推奨するカートリッジ情報を生成している。
ユーザーは、テープに印刷したい文字情報をテープ印刷装置４０１に入力するだけで、推奨されるテープカートリッジの情報を取得することができる。従って、テンプレートを利用しないで、文字情報が印刷対象となった場合に、推奨するテープカートリッジに関する情報を生成してユーザーに提供することができる。
【０１５１】
尚、本発明は上述した実施形態に限定されず、上述した実施形態に様々な変更や改良等を加えることが可能である。変形例を以下に述べる。
【０１５２】
（変形例１）
図１５は、変形例におけるテープ印刷装置と情報処理装置とを備えた印刷システムの構成を概略的に示すブロック図である。
印刷システム５００は、テープ印刷装置４０１および情報処理装置５０１などで構成される。テープ印刷装置４０１と情報処理装置５０１との間は、各種データが通信可能に接続されている。印刷システム５００は、情報処理装置５０１で編集された印刷画像を、テープ印刷装置４０１でテープに印刷するシステムである。尚、情報処理装置５０１は、報知装置に相当する。
【０１５３】
テープ印刷装置４０１は、制御回路４５０、装着部４１１、印刷部４１５、および通信部４１７などで構成され、これらの構成は上述の実施形態２の構成と同様である。
情報処理装置５０１は、一般的なＰＣ（Personal Computer）やスマートフォンなどの汎用装置であり、入力部５１０、報知部５１３、通信部５１７、記憶部５２０、および制御回路５５０などで構成されている。入力部５１０は、キーボード、マウス、タッチパネルなどの入力装置であり、報知部５１３は、液晶ディスプレイなどの表示装置およびスピーカーやブザーなどの音出力装置などである。通信部５１７は、テープ印刷装置４０１の通信部４１７と共通の通信プロトコルを備える通信アダプターであり、印刷画像、印刷指示コマンド、テープ印刷装置４０１に装着されているカートリッジ情報等のデータを送受信する。
【０１５４】
記憶部５２０は、ＲＡＭ、ＲＯＭ、ＨＤＤ、ＳＤＤなどであり、文字列データ５２１、推定環境特性データ５２３、推奨カートリッジ情報データ５２５、装着カートリッジ情報データ５２７、推定環境特性対応テーブル５３０、および推奨カートリッジ情報対応テーブル５４０が格納されている。これらのデータおよびテーブルは、実施形態２における記憶部４２０に格納されていた同名のデータおよびテーブルと同種の内容が格納されている。
【０１５５】
制御回路５５０は、ＣＰＵであり、文字情報取得部５５１、字句抽出部５５３、環境特性推定部５５５、推奨カートリッジ情報生成部５５７、カートリッジ情報取得部５６１、および判断部５６３を機能部として有している。これらの機能部に関しても、実施形態２における制御回路４５０に備えられていた機能部と同様の機能を実現するものである。
【０１５６】
情報処理装置５０１側では、文字情報取得部５５１が入力部５１０により入力されたテープに印刷する文字情報を取得する。字句抽出部５５３は、文字情報を字句解析し、字句情報を抽出する。環境特性推定部５５５は、字句情報に基づいて環境特性の指標と指標値を推定する。推奨カートリッジ情報生成部５５７は、環境特性に基づいて推奨カートリッジ情報を生成する。カートリッジ情報取得部５６１は、通信部５１７を制御して、テープ印刷装置４０１と通信し、装着部４１１にテープカートリッジ２の装着有無情報および装着されている場合はテープカートリッジ２のカートリッジ特性の情報を取得する。判断部５６３は、カートリッジ情報取得部５６１から取得した情報に基づいて、推奨カートリッジ情報および関連するメッセージを生成して、報知部５１３へ出力する。
報知部５１３の表示装置には、例えば、カートリッジ交換画面Ｄ４００（図１０）に示す画面が表示される。
【０１５７】
情報処理装置５０１では、ユーザーにより印刷するテープカートリッジ２が装着されて、ユーザーから印刷指示を受け付けると、テープ印刷装置４０１側に、印刷画像と印刷指示コマンドを送信する。テープ印刷装置４０１では、装着されたテープカートリッジ２のテープに、受信した印刷画像が印刷される。
【０１５８】
以上の構成によれば、制御回路５５０の各機能部および記憶部５２０の各データおよび各テーブルは、プログラムとして提供され、ＣＰＵにより読み込まれて実行されることにより実現される。当該プログラムは、一般的なＰＣやスマートフォンなどの汎用装置において実行可能なアプリケーションソフトウェアとしてインターネット上のサイトから提供することができる。新たなカートリッジ特性を有する新しい仕様のテープカートリッジが市場に提供された場合に、アプリケーションソフトウェアを更新することによりそのカートリッジ特性を随時、推奨カートリッジ情報として追加することができる。
【０１５９】
（変形例２）
図１および図１１を用いて説明する。
制御回路４５０では、キャラクターキー１１１から１文字ずつ入力された文字が、ディスプレイ１２へ表示されるタイミングで、推奨カートリッジ情報を表示してもよい。つまり、文字を入力している途中で、推奨カートリッジ情報が表示されてもよい。詳しくは、文字情報取得部４５１は、入力部４１０（キャラクターキー１１１）を制御して、入力された文字を１文字毎に取得する。入力された文字を１文字ずつ字句抽出部４５３へ出力し、字句抽出部４５３では、順次入力された文字によって字句が形成された時点で、環境特性推定部４５５へ字句情報を出力する。環境特性推定部４５５および推奨カートリッジ情報生成部４５７では、取得した字句情報から環境特性を推定し、推奨カートリッジ情報を生成する。生成した推奨カートリッジ情報を報知部４１３（ディスプレイ１２）へ出力する。
このような構成によって、ユーザーにより文字情報が入力されている最中に、推奨カートリッジ情報が表示されるため、ユーザーは、入力途中で適切なテープカートリッジ２の情報を取得することができる。ユーザーは、表示される推奨カートリッジ情報を確認しながら、入力した文字情報を見直して入力することもできる。
【０１６０】
（変形例３）
図１５を用いて説明する。
上述の変形例２では、テープ印刷装置４０１において、１文字ずつ入力された文字が、表示されるタイミングで、推奨カートリッジ情報が表示される構成としているが、印刷システム５００における情報処理装置５０１においても同様な処理が可能である。
制御回路５５０は、入力部５１０（キーボードなど）から１文字ずつ入力された文字が、報知部５１３（液晶ディスプレイなど）へ表示されるタイミングで、推奨カートリッジ情報を表示してもよい。この構成では、制御回路５５０の各機能部と記憶部５２０の各データや各テーブルによって、情報処理装置５０１においても上述の変形例と同様な処理が可能である。
【符号の説明】
【０１６１】
１，４０１…テープ印刷装置、２…テープカートリッジ、１２…ディスプレイ、１３…カートリッジ装着部、１７…印刷ヘッド、１８，４５０…制御回路、１８ａ，４６１…カートリッジ情報取得部、１８ｂ…推奨カートリッジ情報取得部、１８ｃ，４６３…判断部、４１０…入力部、４１１…装着部、４１３…報知部、４１５…印刷部、４１７…通信部、４２０…記憶部、４２１…文字列データ、４２３…推定環境特性データ、４２５…推奨カートリッジ情報データ、４２７…装着カートリッジ情報データ、４３０…推定環境特性対応テーブル、４４０〜４４５…推奨カートリッジ情報対応テーブル、４５１…文字情報取得部、４５３…字句抽出部、４５５…環境特性推定部、４５７…推奨カートリッジ情報生成部、５００…印刷システム、５０１…情報処理装置、５１０…入力部、５１３…報知部、５１７…通信部、５２０…記憶部、５２１…文字列データ、５２３…推定環境特性データ、５２５…推奨カートリッジ情報データ、５２７…装着カートリッジ情報データ、５３０…推定環境特性対応テーブル、５４０…推奨カートリッジ情報対応テーブル、５５０…制御回路、５５１…文字情報取得部、５５３…字句抽出部、５５５…環境特性推定部、５５７…推奨カートリッジ情報生成部、５６１…カートリッジ情報取得部、５６３…判断部、Ｄ４００…カートリッジ交換画面、Ｍ１…不適合項目メッセージ、Ｍ２…交換メッセージ、Ｍ３…交換選択肢。
【図１】
2017109469.tif 000003
【図２】
2017109469.tif 000004
【図３】
2017109469.tif 000005
【図４】
2017109469.tif 000006
【図５】
2017109469.tif 000007
【図６】
2017109469.tif 000008
【図７】
2017109469.tif 000009
【図８】
2017109469.tif 000010
【図９】
2017109469.tif 000011
【図１０】
2017109469.tif 000012
【図１１】
2017109469.tif 000013
【図１２】
2017109469.tif 000014
【図１３Ａ】
2017109469.tif 000015
【図１３Ｂ】
2017109469.tif 000016
【図１３Ｃ】
2017109469.tif 000017
【図１３Ｄ】
2017109469.tif 000018
【図１３Ｅ】
2017109469.tif 000019
【図１３Ｆ】
2017109469.tif 000020
【図１４】
2017109469.tif 000021
【図１５】
2017109469.tif 000022